(57)【要約】【課題】  従来よりも便座を持ち上げやすい便座用取っ手を提供すること。【解決手段】  便座Ｂの裏側に固定される取付部１と、この取付部１の便座外側の縁部からＬ字状に便座Ｂの上方に向けて立ち設けられたガイド部２と、このガイド部２の縁部から便座の外側に向けて設けられた取っ手部３とを備えている。そして、当該取っ手部３は、便座奥よりも便座手前の高さを低くした指接触部を備えている。【選択図】  図２
2006187533.tif 000002
【特許請求の範囲】
【請求項１】
便座の裏側に固定される取付部と、この取付部の便座外側の縁部からＬ字状に便座の上方に向けて立ち設けられたガイド部と、このガイド部の縁部から便座の外側に向けて設けられた取っ手部とを備え、当該取っ手部は、便座奥よりも便座手前の高さを低くした指接触部を備えていることを特徴とする便座用取っ手。
【請求項２】
前記ガイド部は、薄板状に形成し、当該薄板は、前記便座の外周の曲線形状に沿うように、幾分湾曲させたことを特徴とする請求項１記載の便座用取っ手。
【請求項３】
前記取っ手部の指接触部は、指の表面形状に沿うように湾曲させたことを特徴とする請求項１記載の便座用取っ手。
【発明の詳細な説明】
【技術分野】
【０００１】
本発明は、便座用取っ手に係り、特に、洋式トイレの便座に後から取り付けることのできる便座用取っ手に関する。洋式トイレの便座は指をかけて上げ下げをするものであるが、一般には便座の裏側に直接指をかけて上げ下げを行うため不衛生であることが指摘されており、この不都合を解決するために、便座を上げ下げをするための取っ手を便座の外側に取り付けることが提案されている。
【背景技術】
【０００２】
かかる便座用取っ手は市販されており、しゃもじのような平面的な形状をしている。しゃもじに喩えれば、しゃもじの柄の部分を便座の裏に両面テープで貼り付け、このとき、しゃもじの幅広の部分が便座の外側に出っ張るように取り付ける。
【０００３】
そして、その出っ張った幅広部分を指でつまんで、便座を上げ下げするようになっている。これによれば、便座の裏側に直接指で触れなくて済む。
【０００４】
ここで、出願人は、上記の商品に関する公知技術文献の存在については知らない。
【０００５】
しかし、このような平面的なしゃもじのような形状の場合、以下の不都合があった。
第１は、便座を指一本で持ち上げるべく取っ手に指をかけたとき、持ち上げ始めるときには、例えば指の第２関節から指先までが取っ手に接触し、指との接触面積が大きいため持ち上げやすいのであるが、持ち上げるにつれて便座および取っ手の角度が斜めになっていくので、指の第２関節、第１関節と徐々に取っ手から離れていき、半分くらい持ち上げたときには、指先だけで取っ手を支えるような状態になり、重さが指先に集中し、持ち上げにくくなる。
【０００６】
第２は、しゃもじの柄の部分を便座の裏に貼り付けているため、取っ手の部分を指で持ち上げたとき、梃子の原理により、便座の重さが直接、接着を剥がそうとする力として働き、剥がれやすいという不都合があった。
【０００７】
第３は、しゃもじのような平面的な形状であるため、取っ手と便器との距離が近く、取っ手を指で持ち上げる際に、指が便器に触れてしまう場合があり、不衛生になる場合があった。また、しゃもじの幅広の部分の表面積が大きいため、便座から立ち上がる際に、例えばスカートの裾などに引っかかってしまうおそれがあった。
【発明の開示】
【発明が解決しようとする課題】
【０００８】
本発明は、かかる従来例の有する不都合を改善し、特に、従来よりも便座を持ち上げやすい便座用取っ手を提供することを、課題とする。
【課題を解決するための手段】
【０００９】
本発明の便座用取っ手は、便座の裏側に固定される取付部と、この取付部の便座外側の縁部からＬ字状に便座の上方に向けて立ち設けられたガイド部と、このガイド部の縁部から便座の外側に向けて設けられた取っ手部とを備えて構成する。そして、当該取っ手部は、便座奥よりも便座手前の高さを低くした指接触部を備えていることを特徴とする。
【００１０】
ここで、ガイド部は、薄板状に形成し、当該薄板は、便座の外周の曲線形状に沿うように、幾分湾曲させてもよい。また、取っ手部の指接触部は、指の表面形状に沿うように湾曲させてもよい。
【発明の効果】
【００１１】
本発明の便座用取っ手は、その取っ手部が、便座奥よりも便座手前の高さを低くした指接触部を備えているので、便座を半分程度持ち上げたところでも、従来に比べて取っ手への指の接触面積が大きいので、従来よりも持ち上げやすい。
【発明を実施するための最良の形態】
【００１２】
以下、本発明の一実施形態を図１および図２に基づいて説明する。
【００１３】
本実施形態における便座用取っ手は、便座の裏側に固定される取付部１と、この取付部１の便座外側の縁部からＬ字状に便座の上方に向けて立ち設けられたガイド部２と、このガイド部２の縁部から便座の外側に向けて設けられた取っ手部３とを備えている。そして、当該取っ手部３は、便座奥よりも便座手前の高さを低くした指接触部を備えている。
【００１４】
また、本実施形態において、ガイド部２は、薄板状に形成し、当該薄板は、便座の外周の曲線形状に沿うように、幾分湾曲させてある。また、本実施形態において、取っ手部３の指接触部（取っ手部３の裏側）は、指の表面形状に沿うように湾曲させてある。
【００１５】
これを更に詳述すると、本実施形態において、取付部１は、薄板状に形成され、ガイド部２とは反対側の角が曲線状に面取りされている。ガイド部２は、取っ手部３と接続されている上部が、対数関数的な曲線を取るように形状が設定されている。取っ手部３は、連続的な曲面形状に形成されており、ガイド部２の上部形状に沿って対数関数的な曲率変化をしており、かつ、ガイド部２から離れる方向には指の表面形状に沿うような曲率変化をしている。よって、本実施形態における「指接触部」は、連続面により構成されている。しかし、指接触部は必ずしも連続面である必要はなく、断続的な面や線により構成されていてもよい。本実施形態において、取付部１、ガイド部２および取っ手部３は、プラスチック材により一体的に成型されている。
【００１６】
このように形成された便座用取っ手は、図２に示すように、便座Ｂの外周に沿って取り付ける。
【００１７】
取付部１は、便座Ｂの裏側に固定する。固定方法は、両面テープにより便座Ｂの裏側に取付部１を固定してもよいし、予め便座Ｂの裏側に、取付部１を挿し込んで挟持するガイドを備えておき、そのガイドに取付部１を挿し込んで固定するようにしてもよい。
【００１８】
取付部１を固定する際、ガイド部２は、その幾分湾曲させた曲面を便座Ｂの外周曲面に沿わせて当接させる。
【００１９】
取っ手部３の向きは、対数関数的曲線をもって下がっている側が手前にくるように便座Ｂに取り付ける。
【００２０】
そして、利用者は、便座を上げる際に、取っ手部３の裏を指で支えて持ち上げる。そのとき、取っ手部３の高さが取付部１の高さよりも高くなっているため、従来品にくらべ指が便器に触れる可能性を低減されている。また、指と便座との間にはガイド部２が介在するため、指が便座に触れないようにカバーされている。更に、便器の径方向において、取っ手部３の突出をおよそ指一本分に抑えているので、例えばスカートの裾などにひっかかりにくい。
【００２１】
また、取付部１を便座Ｂの裏に貼り付けて固定している場合に、取っ手部３を持ち上げた際の重さは、取付部１にかかるだけでなく、便座Ｂの外周に当接させたガイド部２にも分散されるので、従来品よりも接着が剥がれにくい。
【００２２】
また、便座Ｂを半分ほど持ち上げても、取っ手部３の裏の指接触部は水平に近い角度を残しており、このため、手指の楽な状態で従来品より多くの指接触面を残しており、このため、従来よりも便座Ｂを持ち上げやすい。
【００２３】
ここで、本発明は、上記の実施形態に限られるものではない。例えば、取付部とガイド部は、クランク状に曲げた複数本の棒材を並べて構成し、当該複数本の棒材の上端部に取っ手部３を取り付けて構成してもよい。
【図面の簡単な説明】
【００２４】
【図１】本発明の一実施形態である便座用取っ手を、取っ手部の側から見た斜視図である。
【図２】図１の便座用取っ手を、図1とは反対側から見た斜視図である。
【符号の説明】
【００２５】
１  取付部
２  ガイド部
３  取っ手部
Ｂ  便座
【図１】
2006187533.tif 000003
【図２】
2006187533.tif 000004